(57)【要約】【課題】投射光によるシンチレーションを確実に防止し、高画質化を図ることの可能なプロジェクタ、スクリーン及びプロジェクションシステムを提供すること。【解決手段】光を射出する光源と、該光源から射出された光を画像信号に応じて変調する光変調手段と、任意の光学部品から発熱する熱を受熱する冷却媒体２３ａと、入射した光を拡散させる光拡散層１２を有するスクリーンと、光変調手段によって変調された光をスクリーン上に投射する投射手段とを備え、光拡散層１２が、光散乱材２３ｂが移動可能に分散された収容空間Ｋを有し、収容空間Ｋ内に冷却媒体２３ａが流動することを特徴とする。【選択図】図５
2008203608.tif 000002
【特許請求の範囲】
【請求項１】
光を射出する光源と、
該光源から射出された光を画像信号に応じて変調する光変調手段と、
任意の光学部品から発熱する熱を受熱する冷却媒体と、
入射した光を拡散させる光拡散層を有するスクリーンと、
前記光変調手段によって変調された光を前記スクリーン上に投射する投射手段とを備え、
前記光拡散層は、光散乱材が移動可能に分散された収容空間を有し、前記収容空間内に前記冷却媒体が流動することを特徴とするプロジェクタ。
【請求項２】
前記冷却媒体が液体であることを特徴とする請求項１に記載のプロジェクタ。
【請求項３】
前記冷却媒体が気体であることを特徴とする請求項１に記載のプロジェクタ。
【請求項４】
前記光拡散層には、前記冷却媒体の流れを整流する整流部が設けられていることを特徴とする請求項１から請求項３のいずれか１項に記載のプロジェクタ。
【請求項５】
前記収容空間に、多孔性材料からなるとともに、前記冷却媒体を通過可能にし、前記光散乱材を通過不可能にする多孔性部材が設けられていることを特徴とする請求項４に記載のプロジェクタ。
【請求項６】
前記スクリーンが、入射した光の角度を変換する角度変換部材を備えることを特徴とする請求項１から請求項５のいずれか１項に記載のプロジェクタ。
【請求項７】
冷却媒体を備えた投射エンジンとともに用いられるスクリーンであって、
前記投射エンジンから射出された光を拡散させる光拡散層を有し、
該光拡散層が、少なくとも画像形成領域内に設けられ前記冷却媒体を収容するとともに移動可能な光散乱材が分散された収容空間を有することを特徴とするスクリーン。
【請求項８】
少なくとも前記画像形成領域内に外部に露出する放熱部材が設けられていることを特徴とする請求項７に記載のスクリーン。
【請求項９】
投射エンジンと、
該投射エンジンから射出された投射光が投射される請求項７または請求項８に記載のスクリーンと、
前記冷却媒体が流入され前記収容空間と前記投射エンジンとを連通させる連通部とを備えることを特徴とするプロジェクションシステム。
【発明の詳細な説明】
【技術分野】
【０００１】
本発明は、プロジェクタ、スクリーン及びプロジェクションシステムに関する。
【背景技術】
【０００２】
近年、プロジェクタが急速に普及してきている。主に、ビジネスプレゼンテーション用途で用いられてきたフロント投射型プロジェクタの他、最近ではリア型プロジェクタが、大型テレビ（ＰＴＶ；プロジェクションテレビ）の一形態として認知度を高めてきている。プロジェクション方式の最大の利点は、液晶テレビ、ＰＤＰ等の直視型ディスプレイに比べて低価格で同画面サイズの商品を供給できることである。しかし、直視型においても低価格化が進展しており、プロジェクタ表示装置にもより高い画質性能が求められつつある。
【０００３】
プロジェクタは、アークランプ等の光源から射出された光を液晶ライトバルブの光変調素子に照射し、光変調素子により変調された投射光をスクリーンに投射することで画像をスクリーンに表示するものである。このとき、スクリーンには、画像が表示されるだけでなく、スクリーン全面がぎらついて見える。これは、光線の干渉に伴う輝度ムラによるもので、スペックルノイズ、所謂シンチレーションと呼ばれる。
【０００４】
ここで、シンチレーションの発生原理について述べる。
図１３に示すように、光源２０１から照射された光が液晶ライトバルブ２０２を透過して投射レンズ２０３によりスクリーン２０４へと投射される。スクリーン２０４に投射された投射光は、スクリーン２０４の散乱構造により回折し、それらが二次波源のように振舞うことによって拡散される。二次波源による２つの球面波が、互いの位相関係に応じて光の強めあいや弱めあいを起こすことによって、スクリーン２０４と鑑賞者との間に明暗の縞模様（干渉縞）となって現れる。この干渉縞が発生する像面２０５に鑑賞者の焦点が合わせられると、鑑賞者は干渉縞をスクリーンをぎらつかせるシンチレーションとして認識する。
【０００５】
シンチレーションは、スクリーン面に結像された画像を見ようとする鑑賞者によって、スクリーン面と鑑賞者との間にあたかもベール、レース布、くもの巣を張ったかのような不快感を与える。また、鑑賞者はスクリーン上の画像とシンチレーションとの２重の像を見ることになり、それぞれに視点を合わせようとするため大きな疲労を招く。したがって、このシンチレーションは、ストレスを鑑賞者に与えてしまう。
【０００６】
最近では、従来の高圧水銀ランプに替わる新しい光源の開発が進められており、特にレーザ光源は、エネルギー効率、色再現性、長寿命、瞬時点灯等の点で次世代プロジェクタ用光源として期待が高まっている。しかしながら、レーザ光源によるスクリーン上の投射光は、隣接する領域の光線の位相が揃っていることから干渉性が非常に高いものとなる。レーザ光源のコヒーレンス長は数十メートルにも及ぶこともあるため、同一の光源を分割して再合成すると、コヒーレンス長より短い光路差を経て合成された光が強い干渉を引き起こすことになり、高圧水銀ランプよりもはっきりとしたシンチレーション（干渉縞）が出現してしまう。
よって、特にレーザ光源を用いたプロジェクタの製品化においてシンチレーションの低減は必須技術となっている。
【０００７】
ところで、上述したようなプロジェクタを用い、流れる水をスクリーンにして映像を投影するものが提案されている（例えば、特許文献１及び特許文献２参照。）。
特許文献１に記載の噴水式映写装置は、水を膜状の滝となるように流れ落とす流出口を有する液溜め部と、水及び空気の混合液を圧送する混合液圧送手段と、複数の小孔を有するノズルとを備えている。この構成により、混合液圧送手段が液溜め部の流出口から気泡を含んだ水を膜状に流し、この膜状の水に映写機（プロジェクタ）から映像を投影する。このように、膜状の流れ落ちる水で自然な滝を感得している。
また、特許文献２に記載の水壁ユニットは、前後両壁面部が透光板で形成された中空状の液槽ユニットに水が収容されている。この液槽ユニットは、内部に多量の気泡を発生させることが可能となっている。そして、液槽ユニットの下部に給水ノズルが設けられ、この給水ノズルから給水を連続的に行い、液槽ユニットの上部から水が溢れ出る。この構成では、液槽ユニットに観賞用の魚を収容し、映写機（プロジェクタ）を用いてこの液槽ユニットの前面壁面部に所望の画像を映写することにより、映像と魚とが一体化されたような印象を与える。
【特許文献１】特開平７−１８１５９５号公報
【特許文献２】特開平７−８４５４８号公報
【発明の開示】
【発明が解決しようとする課題】
【０００８】
しかしながら、上記特許文献１に記載の噴水式映写装置及び特許文献２に記載の水壁ユニットは、流体をスクリーンにすること自体を目的としているため、シンチレーションの対策にはなっていない。また、スクリーンとなる水の内部に気泡を発生させているため、高画質な画像を投影することは困難である。
【０００９】
本発明は、上記の課題を解決するためになされたものであって、投射光によるシンチレーションを確実に防止し、高画質化を図ることの可能なプロジェクタ、スクリーン及びプロジェクションシステムを提供することを目的とする。
【課題を解決するための手段】
【００１０】
上記目的を達成するために、本発明は、以下の手段を提供する。
本発明のプロジェクタは、光を射出する光源と、該光源から射出された光を画像信号に応じて変調する光変調手段と、任意の光学部品から発熱する熱を受熱する冷却媒体と、入射した光を拡散させる光拡散層を有するスクリーンと、前記光変調手段によって変調された光を前記スクリーン上に投射する投射手段とを備え、前記光拡散層は、光散乱材が移動可能に分散された収容空間を有し、前記収容空間内に前記冷却媒体が流動することを特徴とする。
【００１１】
本発明に係るプロジェクタでは、光源から射出された光は、光変調手段により画像信号に応じて変調され、変調された光は、投射手段によりスクリーンに投射される。このとき、冷却媒体がスクリーンの光拡散層に設けられた収容空間内を流動する。この冷却媒体の流動に伴い収容空間全体における光散乱材の位置が刻々と変化する。その変化に伴い、視認されるスペックル（干渉による斑点模様）が移動したり、スペックルのパターンが複雑に変化する。その結果、人間の眼の残像時間内でスペックルのパターンが積分平均化され、スペックルによるシンチレーション（光のぎらつき現象）が視認されなくなる。これにより、スクリーンと視聴者との間に生じていたシンチレーションが除去されてぎらつき感がなくなり、投射光による画像が良好に視認でき、視聴者の疲労も軽減される。また、光拡散層をフォーカス方向に移動させることなく、シンチレーションを除去できるため、画像ボケが生じることもない。これにより、高画質な画像を投影することが可能となる。
さらに、光学部品から発熱する熱を受熱した冷却媒体がスクリーンの光拡散層の収容空間に流動される。このように、収容空間により放熱面積を大きく取ることができるため、光学部品を効率良く冷却することが可能となる。また、光学部品の熱を受熱する冷却媒体をスクリーンに流動しているため、既存の冷却媒体をシンチレーション防止に効率良く利用することが可能となる。
【００１２】
また、本発明のプロジェクタは、前記冷却媒体が液体であることが好ましい。
本発明に係るプロジェクタでは、冷却媒体が液体であるため、気体に比べ塵埃等が混入しにくいため、鮮明な画像を映し出すことが可能となる。また、冷却媒体として液体を用いることにより、気体に比べ放熱効果が高いので、任意の光学部品の冷却効率を向上させることが可能となる。
【００１３】
また、本発明のプロジェクタは、前記冷却媒体が気体であることが好ましい。
本発明に係るプロジェクタでは、液体では気泡が混入するおそれがあるが、冷却媒体が気体であれば、気泡の混入を回避することができる。したがって、気泡による画像の劣化等が生じないため、鮮明な画像を映し出すことが可能となる。
【００１４】
また、本発明のプロジェクタは、前記光拡散層には、前記冷却媒体の流れを整流する整流部が設けられていることが好ましい。
【００１５】
本発明に係るプロジェクタでは、冷却媒体は整流部に流入し、整流部により冷却媒体は収容空間の内部に広げられる。これにより、温められた冷却媒体が収容空間に局所的に滞留し、流動の乱れや澱み点が発生して偏った流れが生じるのを回避できる。したがって、シンチレーションを確実に防止し、流動の流れに伴う画質の劣化を抑えることができる。
【００１６】
また、本発明のプロジェクタは、前記収容空間に、多孔性材料からなるとともに、前記冷却媒体を通過可能にし、前記光散乱材を通過不可能にする多孔性部材が設けられているが好ましい。
【００１７】
本発明に係るプロジェクタでは、収容空間に多孔性材料からなるとともに、冷却媒体を通過可能にし、光散乱材は通過不可能にする多孔性部材が設けられているため、光散乱材が収容空間から外部に流れ出ることがない。したがって、例えば、光拡散層の収容空間に流通可能に設けられた流入管及び排出管に光散乱材が流れないため、光拡散材が収容空間外部の配管に詰まるおそれを回避することが可能となる。すなわち、冷却媒体を収容空間内で円滑に循環させることができる。
また、光散乱材は少なくともスクリーンにあれば良いため、スクリーン内だけに光散乱材を設けることにより、光散乱材の使用量を最小限に抑えることが可能となる。
【００１８】
また、本発明のプロジェクタは、前記スクリーンが、入射した光の角度を変換する角度変換部材を備えることが好ましい。
【００１９】
本発明に係るプロジェクタでは、スクリーンに入射した光は、角度変換部材により角度が変換されて射出される。これにより、例えば、スクリーンに入射した光を平行光に変換しスクリーンのゲインの調整をしたり、所定の角度に拡散させ視野角を調整し、視野角を広くすることが可能となる。したがって、スクリーンから射出される光を好適な状態にすることが可能となる。
【００２０】
本発明のスクリーンは、冷却媒体を備えた投射エンジンとともに用いられるスクリーンであって、前記投射エンジンから射出された光を拡散させる光拡散層を有し、該光拡散層が、少なくとも画像形成領域内に設けられ前記冷却媒体を収容するとともに移動可能な光散乱材が分散された収容空間を有することを特徴とする。
【００２１】
本発明に係るスクリーンに、投射エンジンから射出された投射光が投射される。このとき、冷却媒体が光拡散層に設けられた収容空間内を流動する。この冷却媒体の流動に伴い収容空間全体における光散乱材の位置が刻々と変化する。その変化に伴い、視認される干渉縞が移動したり、干渉縞のパターンが複雑に変化する。その結果、人間の眼の残像時間内で干渉縞のパターンが積分平均化され、干渉縞（シンチレーション）が視認されなくなる。これにより、スクリーンと視聴者との間に生じていた干渉縞が除去されてぎらつき感がなくなり、投射光による画像が良好に視認でき、視聴者の疲労も軽減される。また、光拡散層をフォーカス方向に移動させることなく、干渉縞を除去できるため、画像ボケが生じることもない。
さらに、受熱した冷却媒体が光拡散層の収容空間に流動される。これにより、少なくとも画像形成領域内に設けられた収容空間により放熱面積を大きく取ることができるため、投射エンジンより発生した熱を効率良く冷却することが可能となる。
【００２２】
また、本発明のスクリーンには、少なくとも前記画像形成領域内に外部に露出する放熱部材が設けられていることが好ましい。
【００２３】
本発明に係るスクリーンでは、少なくとも画像形成領域内に外部に露出する放熱部材が設けられているため、温められた冷却媒体をスクリーンのほぼ全面に設けられた放熱部材により外部に放熱することが可能となる。したがって、効率良く冷却媒体を放熱することができる。
【００２４】
本発明のプロジェクションシステムは、投射エンジンと、該投射エンジンから射出された投射光が投射される上記のスクリーンと、前記冷却媒体が流入され前記収容空間と前記投射エンジンとを連通させる連通部とを備えることを特徴とする。
【００２５】
本発明に係るプロジェクションシステムでは、投射エンジンの冷却媒体が連通部を流れ、スクリーンの光拡散層の収容空間に流入する。したがって、上述したプロジェクタと同様、投射光によるシンチレーションを確実かつ効率良く防止してぎらつきを抑制することによって、高画質で鑑賞者にストレスを与えることのないプロジェクションシステムを実現することができる。
【発明を実施するための最良の形態】
【００２６】
以下、図面を参照して、本発明に係るプロジェクタ、スクリーン及びプロジェクションシステムの実施形態について説明する。なお、以下の図面においては、各部材を認識可能な大きさとするために、各部材の縮尺を適宜変更している。
【００２７】
［第１実施形態］
図１（ａ）は本実施形態に係るリアプロジェクタ（プロジェクタ）１の概略構成を示す斜視図であり、図１（ｂ）は、図１（ａ）に示すリアプロジェクタ１の側面断面図である。本実施形態に係るリアプロジェクタ１は、光源装置から射出された光を光変調手段により変調し、この変調した光をスクリーン１０に拡大投射するものである。
【００２８】
図１（ａ）に示すように、リアプロジェクタ１は、筐体（保持部）２と、筐体２の前面に取り付けられ、画像が投影されるスクリーン１０とを備えている。スクリーン１０の下方の筐体２にはフロントパネル３が設けられ、フロントパネル３の左右側にはスピーカからの音声を出力する開口部４が設けられている。
【００２９】
次に、リアプロジェクタ１の筐体２の内部構造について説明する。
図１（ｂ）に示すように、リアプロジェクタ１の筐体２内部の下方には投射光学系３０が配設されている。投射光学系３０とスクリーン１０との間には反射ミラー５，６が設けられており、投射光学系３０から出射された光が反射ミラー５，６によって反射され、スクリーン１０に拡大投影されるようになっている。
【００３０】
まず、スクリーン１０の詳細について説明する。
スクリーン１０は、図２に示すように、入射した光の角度を変換するフレネル板（角度変換部材）１１と、光透過性を有するレンチキュラ板（角度変換部材）１３と、フレネル板１１とレンチキュラ板１３との間に配置され、入射した光を拡散させる拡散板（光拡散層）１２とを備えている。
【００３１】
まず、拡散板１２について説明する。
拡散板１２は、図２に示すように、フレネル板１１の射出面１１ｂから射出したレーザ光を拡散させ、レンチキュラ板１３の入射面１３ａに向けて射出するものである。また、拡散板１２は、図３に示すように、入射側に配置された第１基板２１及び射出側に配置された第２基板２２と、分散媒２３とを備えている。第１基板２１及び第２基板２２はいずれも光透過性を有し、例えばガラス板である。なお、第１基板２１及び第２基板２２の材料としては、例えば、ポリカーボネート、シクロオレフィン系樹脂など、透明であることに加えて低吸湿性、耐熱性、低複屈折性、高寸法安定性というような性質を持つ材料で構成されることが好ましい。
【００３２】
図４は、拡散板１２の上端側の拡大図である。
拡散板１２には、図４に示すように、第１基板２１と第２基板２２との間の周縁部に沿って設けられた封止材２４により密閉された空間が設けられており、この空間は、分散媒２３が収容された収容空間Ｋとなっている。また、第１基板２１の収容空間Ｋに対応する領域が、投射光学系３０により画像が表示される画像表示領域（画像形成領域）Ａとなっている。
分散媒２３は、冷却媒体２３ａとこの冷却媒体２３ａの内部に設けられた拡散性を有する粒子（光散乱材）２３ｂとを備えている。また、冷却媒体２３ａは液体である。そして、冷却媒体２３ａ，粒子２３ｂの材料及び粒子２３ｂの大きさや重さ等の条件により、粒子２３ｂが沈むことなく分散し続けることが可能となる。また、冷却媒体２３ａとしては、光透過性を有する材料からなることが好ましく、例えば、非電気伝導性の有機系媒体が用いられ、冷却媒体２３ａには粒子２３ｂの帯電を促すような界面活性剤が添加されている。また、粒子２３ｂには帯電し易くなるための物質が添加処理されている。
また、この分散媒２３は後述する液冷ユニット５０からスクリーン３０に流れ込む流体である。
【００３３】
また、粒子２３ｂとしては、光透過性を有する材質からなることが好ましく、具体的には、微粒子状（ビーズ状）のシリカ、ガラス、樹脂等を用いることができ、比重を考えると樹脂球が好ましい。この粒子２３ｂは、光拡散効果及び粒子の分散効果の両立に適した大きさであれば良く、小さすぎるとスクリーン１０としての光散乱効率が低下してしまい、大きすぎると光散乱分布が前方散乱側に偏るため良好な拡散特性が得られなくなる。これにより、粒子２３ｂの平均粒径は、特に限定されないが、０．５μｍ〜５０μｍであることが好ましい。
【００３４】
また、拡散板１２の上端部１２ａには、図４及び図５に示すように、流路２６と、整流部４０とを備えている。なお、図５で示す矢印Ｆは分散媒２３の流れを示しており、分散媒２３は拡散板１２の上端部１２ａから下端部１２ｂに流れるようになっている。
流路２６は、図４に示すように、拡散板１２の上端部１２ａに設けられた流入部２７に形成されている。この流路２６には、流入部２７の左端面２７ａに、収容空間Ｋ内に分散媒２３を流入させる流入口２７ｂが形成されている。さらに、流路２６は、図５に示すように、拡散板１２の上辺に沿って延在している。また、流入部２７には流入口２７ｂと連通した流入管２８が設けられている。また、図５に示すように、拡散板１２の下端部１２ｂには、排出口１２ｃが設けられており、さらに、この排出口１２ｃに連通した排出管２９が設けられている。これにより、収容空間Ｋ内の分散媒２３は、流入管２８を介して流入口２７ｂから流入し、排出口１２ｃから排出管２９を介して外部に排出されるようになっている。
【００３５】
整流部４０は、図５に示すように、拡散板１２の上端部１２ａ側の封止材２４に形成されている。そして、整流部４０には、複数（図５に示す例では８個）の貫通孔４１が形成されている。この貫通孔４１は、流路２６の側面２６ａから収容空間Ｋに向かって、断面積が大きくなるテーパ状となっている。このような形状の貫通孔４１により、図５の矢印Ｆに示すように、流入した分散媒２３を収容空間Ｋ内に広げることが可能となっている。
また、整流部４０は、図５に示すように、投射光学系３０により画像が表示される画像表示領域Ａの外に設けられている。
【００３６】
次に、フレネル板１１について説明する。
フレネル板１１には、図３に示すように、入射面１１ａと反対の射出面１１ｂに略同心円状に形成されたプリズム形状のフレネルレンズ１１ｃが形成されている。このフレネルレンズ１１ｃは、投射光学系３０から射出され入射面１１ａより入射した放射状に拡散するレーザ光を拡散板１２（観察者の方向）に向かって屈折させ、平行光に変換し射出面１１ｂより射出するものである。
また、フレネルレンズ１１ｃの先端には、面取りが施されている。なお、フレネルレンズ１１ｃの先端に、Ｒ付けが施されていても良い。
【００３７】
次に、レンチキュラ板１３について説明する。
レンチキュラ板１３は、図３に示すように、入射面１３ａに複数の蒲鉾状のマイクロレンズ素子１３ｃがレーザ光の入射側に設けられている。この複数のマイクロレンズ素子１３ｃは、光軸Ｏに垂直な平面（ｘｙ平面）において、ｙ方向（スクリーンを設置した状態における垂直方向）に長手方向を有し、ｘ方向に並列に配置されている。また、マイクロレンズ素子１３ｃの先端には、Ｒ付けが施されている。なお、マイクロレンズ素子１３ｃの先端に、面取りが施されていても良い。
レンチキュラ板１３は、入射面１３ａから入射したレーザ光を所定の角度範囲に拡散させ、射出面１３ｂから射出させるものである。これにより、画像の視野角を広くし、スクリーン１０を正面から水平方向にずれた位置で観察しても良好な画像を観察可能にするものである。なお、レンチキュラ板１３の材料としては、光を透過する材料であれば良い。
【００３８】
また、フレネル板１１及びレンチキュラ板１３の材料としては、例えば、アクリル系樹脂、ポリカーボネート系樹脂、塩化ビニル系樹脂等の熱可塑性樹脂、シクロオレフィン系樹脂等が挙げられる。
【００３９】
次に、リアプロジェクタ１の投射光学系３０の概略構成について説明する。
図６は、リアプロジェクタ１の投射光学系３０の構成を示す概略図である。なお、図６中においては、簡略化のためリアプロジェクタ１を構成する筐体２は省略している。
【００４０】
投射光学系３０は、赤色光を射出する赤色レーザ光源（光源）３１Ｒと、緑色光を射出する緑色レーザ光源（光源）３１Ｇと、青色光を射出する青色レーザ光源（光源）３１Ｂと、これらレーザ光源３１Ｒ，３１Ｇ，３１Ｂから射出されたレーザ光をそれぞれ変調する液晶ライトバルブ（光変調手段、光学部品）３４Ｒ，３４Ｇ，３４Ｂと、液晶ライトバルブ３４Ｒ，３４Ｇ，３４Ｂにより変調されたレーザ光を合成するクロスダイクロイックプリズム（色光合成手段）３６と、クロスダイクロイックプリズム３６により合成されたレーザ光を拡大して投射する投射レンズ（投射手段）３７とを備えている。また、投射光学系３０には、液晶ライトバルブ３４Ｒ，３４Ｇ，３４Ｂを冷却する液冷ユニット５０が設けられている。
【００４１】
投射光学系３０は、レーザ光源３１Ｒ，３１Ｇ，３１Ｂから射出されたレーザ光の照度分布を均一化させるための均一照明系として、各レーザ光源３１Ｒ，３１Ｇ，３１Ｂの後方に配置され、レーザ光を液晶ライトバルブ３４Ｒ，３４Ｇ，３４Ｂに射出する照明光学系３２Ｒ，３２Ｇ，３２Ｂを備えている。例えば、照明光学系は、ホログラム、フィールドレンズを備えている。
【００４２】
また、各液晶ライトバルブ３４Ｒ，３４Ｇ，３４Ｂの入射側および出射側には、偏光板（図示せず）が配置されている。そして、各レーザ光源３１Ｒ，３１Ｇ，３１Ｂからの光束のうち所定方向の直線偏光のみが入射側偏光板を透過して、各液晶ライトバルブ３４Ｒ，３４Ｇ，３４Ｂに入射する。また、入射側偏光板の前方に偏光変換手段（図示せず）を設けてもよい。この場合、偏光変換手段により、入射側偏光板を透過する光に変換することで、光の利用効率を向上させることができる。
【００４３】
各液晶ライトバルブ３４Ｒ，３４Ｇ，３４Ｂによって変調された３つの色光は、クロスダイクロイックプリズム３６に入射する。このプリズムは４つの直角プリズムを貼り合わせて形成され、その内面に赤色光を反射する誘電体多層膜と青色光を反射する誘電体多層膜とが十字状に配置されている。これらの誘電体多層膜によって３つの色光が合成され、カラー画像を表す光が形成される。そして、合成された光は投写光学系である投射レンズ３７によりスクリーン１０上に投写され、拡大された画像が表示される。
【００４４】
液冷ユニット５０は、図７に示すように、メインタンク５１、流体圧送部５２と、素子冷却管５３と、分岐タンク５４と、合流タンク５５と、ラジエータ５６と、軸流ファン５７と、管部５８，６６，６７とを備えている。なお、図７は、説明を簡略化するために、液冷ユニット５０における部材を一部省略して説明する。
【００４５】
メインタンク５１は、図７に示すように、分散媒２３を一時的に蓄積する。また、このメインタンク５１の周面において、分散媒２３の流入部５１Ａ及び流出部５１Ｂが形成されている。そして、メインタンク５１から流出した分散媒２３は、管部５８を介して流体圧送部５２に送られる。
【００４６】
流体圧送部５２は、図７に示すように、メインタンク５１からの分散媒２３を内部に吸引するとともに、その分散媒２３を分岐タンク５４に向けて外部に強制的に排出する。すなわち、メインタンク５１の流出部５１Ｂと流体圧送部５２の流入部５２Ａとが管部５８を介して接続され、流体圧送部５２の流出部５２Ｂと分岐タンク５４の流入部５４Ａとが管部５８を介して接続されている。
また、流体圧送部５２は、収容空間Ｋ内に分散媒を流動させる流動部である。
【００４７】
分岐タンク５４は、図７に示すように、流体圧送部５２から送られた分散媒２３を各素子冷却管５３に向けて分岐させるものである。
素子冷却管５３は、図８（Ａ），（Ｂ）に示すように、赤色光に関して、液晶ライトバルブ３４Ｒの周縁に配設されている。また、分散媒２３は素子冷却管５３の流入部（ＩＮ）から流入して液晶ライトバルブ３４Ｒの周縁に沿って流れ、流出部（ＯＵＴ）から外部に流出する。このように、液晶ライトバルブ３４Ｒ，３４Ｇ，３４Ｂと素子冷却管５３とを隣接して配設させることにより、素子冷却管５３を流れる分散媒２３と各液晶ライトバルブ３４Ｒ，３４Ｇ，３４Ｇとの間で熱交換が行われる。
【００４８】
また、合流タンク５５は、各素子冷却管５３から送られた分散媒２３を合流させて一時的に蓄積するものである。
合流タンク５５とスクリーン１０の拡散板１２との配管を図９に模式的に示すと、合流タンク５５の流出部５５Ａとスクリーン１０の拡散板１２の流入管２８とが管部６６を介して接続されている。さらに、スクリーン１０の拡散板１２の排出管２９とラジエータ５６の管状部材６１の流入部６１Ａとが管部６７を介して接続されている。
【００４９】
ラジエータ５６は、図７に示すように、分散媒２３が流れる管状部材６１と、この管状部材に接続された複数の放熱フィン６２とを備える。
管状部材６１は、アルミニウム等の熱伝導性の高い部材からなり、流入部６１Ａから流入した分散媒２３が流出部６１Ｂに向けて内部を流れる。さらに、管状部材６１の流出部６１Ｂとメインタンク５１とが管部５８を介して接続されている。
複数の放熱フィン６２は、アルミニウム等の熱伝導性の高い板状部材からなり、並列配置されている。また、軸流ファン５７は、ラジエータ５６の一面側から冷却空気を吹き付けるように構成されている。
そして、ラジエータ５６では、管状部材６１内を流れる分散媒２３の熱が放熱フィン６２を介して放熱されるとともに、軸流ファン５７による冷却空気の供給によってその放熱が促進される。
【００５０】
以上説明したように、液冷ユニット５０では、管部５８を介して、メインタンク５１、流体圧送部５２、分岐タンク５４、素子冷却管５３、合流タンク５５、スクリーン１０及びラジエータ５６の順に分散媒２３が流れ、その分散媒２３は、ラジエータ５６からメインタンク５１に戻り、上記経路を繰り返し流れて循環する。
【００５１】
次に、以上の構成からなる本実施形態のリアプロジェクタ１によりスクリーン１０に画像を投影する方法について説明する。
まず、各レーザ光源（光源装置）３１Ｒ，３１Ｇ，３１Ｂから射出されたレーザ光は、図６に示すように、それぞれ照明光学系３２Ｒ，３２Ｇ，３２Ｂにより、照度分布が略均一化され液晶ライトバルブ３４Ｒ，３４Ｇ，３４Ｂに入射する。そして、入射したレーザ光は、液晶ライトバルブ３４Ｒ，３４Ｇ，３４Ｂによりそれぞれ変調され、クロスダイクロイックプリズム３６に入射する。その後、クロスダイクロイックプリズム３６は、各透過型液晶ライトバルブ３４Ｒ，３４Ｇ，３４Ｂでそれぞれ変調されたＲ光、Ｇ光及びＢ光を合成し、クロスダイクロイックプリズム３６で合成された光は、投射レンズ３７によってスクリーン１０へ投射される。
【００５２】
このとき、スクリーン１０に投射されたレーザ光は、図３に示すように、フレネル板１１の入射面１１ａより入射し、フレネルレンズ１１ｃによって屈折し平行光となる。そして、フレネル板１１の射出面１１ｂから射出した平行光は、拡散板１２によりランダムな方向に拡散され、拡散された光はレンチキュラ板１３の入射面１３ａから入射する。そして、レンチキュラ板１３から射出される光は、所定の角度範囲に拡散される。このとき、メインタンク５１に貯留された分散媒２３が流体圧送部５２に送られる。そして、流体圧送部５２から分岐タンク５４に送られた分散媒２３は、それぞれの液晶ライトバルブ３４Ｒ，３４Ｇ，３４Ｂより発生した熱を受熱する。温められた分散媒２３は、合流タンク５５に貯留され、スクリーン１０に流動される。これにより、分散媒２３がスクリーン１０の拡散板１２の収容空間Ｋ内を流動する。そして、収容空間Ｋ内の粒子２３ｂも流動し、この粒子２３ｂの流動に伴い、収容空間Ｋ全体における粒子２３ｂの位置が刻々と変化する。
その変化に伴い、視認されるスペックルが移動したり、スペックルのパターンが複雑に変化する。その結果、人間の眼の残像時間内でスペックルのパターンが積分平均化され、スペックルによるシンチレーションが視認されなくなる。
さらに、温められた分散媒２３は、画像表示領域Ａ内に設けられた収容空間Ｋにおいて放熱される。そして、分散媒２３はラジエータ５６において放熱が促進され、再びメインタンク５１に貯留される。
【００５３】
本実施形態に係るリアプロジェクタ１では、拡散板１２の収容空間Ｋ内の粒子２３ｂが分散媒２３の流動に伴い動くので、スクリーン１０と視聴者との間に生じていたシンチレーションが除去されてぎらつき感がなくなり、投射光による画像が良好に視認でき、視聴者の疲労も軽減される。また、拡散板１２をフォーカス方向に移動させることなく、シンチレーションを除去できるため、画像ボケが生じることもない。また、機械的な駆動系がないため、耐久性に関しても有利なリアプロジェクタ１を提供することが可能となる。
さらには、受熱した分散媒２３がスクリーン１０の拡散板１２の収容空間Ｋに流動されるため、画像表示領域Ａ内に設けられた収容空間Ｋにより放熱面積を大きく取ることができる。したがって、液晶ライトバルブ３４Ｒ，３４Ｇ，３４Ｂを効率良く冷却することが可能となる。
つまり、本実施形態のリアプロジェクタ１は、投射光によるシンチレーションを確実に防止し、高画質化を図ることの可能となる。
【００５４】
また、冷却媒体２３ａが液体であるため、冷却媒体として気体を用いた場合に比べ、塵埃等の混入のおそれがないため、鮮明な画像を映し出すことができる。
また、スクリーン１０上の画像が表示される画像表示領域Ａにおいて、分散媒２３の流動が行われていないと、流動の乱れによる画質の劣化、澱み点ができて、シンチレーションを生じてしまうおそれがある。そこで、本実施形態では、拡散板１２には整流部４０が設けられているため、流動の乱れや澱み点の発生を抑えている。
さらに、整流部４０が画像表示領域Ａ外に設けられているため、表示される画像に影響を及ぼすことがないので、明るい画像を映し出すことが可能となる。
【００５５】
なお、上端部１２ａに整流部４０を設けた構成にしたが、上端部１２ａ及び下端部１２ｂのいずれにも整流部４０を設けた構成であっても良い。この構成では、収容空間Ｋへの分散媒２３の流入及び収容空間Ｋからの分散媒２３の排出をスムーズに行うことが可能となる。
また、分散媒２３の流動方向は、重力に対して順方向、すなわち、拡散板１２の上端部１２ａから下端部１２ｂ方向であるが、逆方向（下端部１２ｂから上端部１２ａ方向）であっても良い。さらには、図５に示すように、側面部１２ｄと反対の側面部１２ｅに向かって（スクリーン１０の水平方向）分散媒２３を流しても良い。
また、貫通孔４１の形状は上記の形状に限定されるものではない。
また、液冷ユニット５０により、液晶ライトバルブ３４Ｒ，３４Ｇ，３４Ｂを冷却したが、レーザ光源（光学部品）３１Ｒ，３１Ｇ，３１Ｂ、液晶ライトバルブ３４Ｒ，３４Ｇ，３４Ｂに用いられる偏光板（光学部品）、電源（図示略、光学部品）などの発熱する部材も冷却する構造であっても良い。
また、温められた分散媒２３のスクリーン１０における放熱が十分であれば、投射光学系３０にラジエータ５６を設けなくても良い。この構成では、投射光学系３０を小型にすることができるため、リアプロジェクタ１全体の小型化を図ることが可能となる。
【００５６】
さらに、分散媒２３内の粒子２３ｂの分散はリアプロジェクタ１の駆動時のみ確保できていれば良いため、駆動していない時まで沈殿のない完璧なものである必要性がないので、粒子２３ｂの材質の選択幅が広がる。また、分散媒２３内の粒子２３ｂの分散を事前に確保するために、投射光学系３０により画像を投射する前に、分散媒２３内の粒子２３ｂを分散させる分散工程や、分散媒２３を流動させ流動の安定化を図る工程を備えた構成でも画質の安定に効果的である。
また、角度変換部材としてフレネル板１１、レンチキュラ板１３を用いたがこれに限るものではない。すなわち、スクリーン１０に入射した光を所定の角度範囲に変換することが可能な部材であれば良い。
また、フレネル板１１及びレンチキュラ板１３を用いないと、スクリーン１０のゲイン（明るさ）が小さくなってしまう。しかしながら、より広い方向で観察者に見せるようなスクリーンでは拡散性を重視するため、拡散面を必要とするので、必ずしもフレネル板１１及びレンチキュラ板１３は必要ではない。
また、画像表示領域Ａ外の例えばスクリーン１０の固定枠に放熱可能な放熱フィン（放熱部材）を設けて、スクリーン１０での放熱をより高めても良い。
さらに、整流部４０は、画像表示領域Ａの外に設けられているとしたが、整流部４０及び封止材２４が光透過性を有する部材であれば、画像表示領域Ａ内に設けられていても良い。
【００５７】
［第１実施形態の変形例］
図１に示す第１実施形態では、整流部４０に複数の貫通孔４１が形成された構成であったが、整流部４０に代えてスポンジフォーム６８，６９を有する拡散板６５を用いても良い。このような変形例について、図１０を参照して説明する。なお、その他のスクリーン１０の構成は第１実施形態と同様である。
【００５８】
拡散板６５には、図１０に示すように、収容空間Ｋの上端部１２ａに、流路２６内の冷却媒体２３ａが流入するスポンジフォーム（多孔性部材）６８が設けられている。また、拡散板１２の下端部１２ｂの排出口１２ｃにもスポンジフォーム（多孔性部材）６９が設けられている。このスポンジフォーム６８，６９は、複数の孔を有する多孔性樹脂材料からなっており、この孔の径は、小さすぎると冷却媒体２３ａがスムーズに透過しなくなり、一方、大きすぎると粒子２３ｂが透過してしまうため、使用する粒子２３ｂの粒径より若干小さい程度が好ましい。
これにより、収容空間Ｋ内に配設された粒子２３ｂを収容空間Ｋ内にのみとどめることができる。すなわち、拡散板６５の排出口１２ｃからは冷却媒体２３ａのみが外部に流出される。
【００５９】
このような拡散板６５を備えたるプロジェクタでは、スポンジフォーム６８，６９により、粒子２３ｂが収容空間Ｋから外部に流れ出ることがない。したがって、排出口１２ｃに粒子２３ｂが流れ出ないため、粒子２３ｂが液冷ユニット５０の管部５８，６６，６７等に詰まるおそれを回避することが可能となる。すなわち、冷却媒体２３ａを収容空間Ｋ内で確実に循環させることができる。
【００６０】
なお、本変形例では、排出口１２ｃのスポンジフォーム６９付近に粒子２３ｂが溜らないように、流体圧送部５２を一定時間おきに逆転させ、分散媒２３を流入管２８から排出管２９への流れと、排出管２９から流入管２８への流れとに一定時間ごとに切り替えても良い。
また、流体圧送部５２により分散媒２３を拡散板１２の下端部１２ｂ側から上端部１２ａ側に流動させ、一定時間経過後に流体圧送部５２を停止させても良い。これにより、拡散板１２の上端部１２ａ側のスポンジフォーム６８付近に溜まった粒子２３ｂが重力により、拡散板１２の下端部１２ｂ側に落ちてくる。これらの構成により、粒子２３ｂを収容空間Ｋ内により満遍なく分散させることが可能となる。
また、本変形例の拡散板６５に第１実施形態で示すような整流部４０が設けられていても良い。
【００６１】
［第２実施形態］
次に、本発明に係る第２実施形態について、図１１及び図１２を参照して説明する。なお、以下に説明する各実施形態において、上述した第１実施形態に係るリアプロジェクタ１と構成を共通とする箇所には同一符号を付けて、説明を省略することにする。
本実施形態に係るプロジェクションシステム７０では、図１１に示すように、スクリーン８０と投射エンジン７１とが別体で構成されている。また、投射エンジン７１を構成する光学部材及び光学系は第１実施形態と同様である。
【００６２】
スクリーン８０は、図１２に示すように、拡散板８１と放熱フィン（放熱部材）９０とを備えている。なお、図１２に示すスクリーン８０では、フレネル板１１及びレンチキュラ板１３を省略して図示している。
拡散板８１は、視認側に配置された光透過性を有する透過板８２及び視認側からみて奥側に配置された反射板８３と、分散媒２３とを備えている。そして、拡散板８１には、透過板８２と反射板８３との間の周縁部に沿って設けられたパッキン（封止材）８４により密閉された空間が設けられており、この空間は、分散媒２３が収容された収容空間Ｋとなっている。なお、透過板８２と反射板８３とを固定枠により固定しても良い。
【００６３】
反射板８３は、透過板８２を透過し、分散媒２３を通過した光を透過板８２に向かって反射させる反射ミラーとなっている。なお、この反射板８３に、第１実施形態と同様のフレネル板１１の形状を持たせると、スクリーン８０のゲインは大きくなる。また、反射板８３に、拡散部材である第１実施形態と同様のレンチキュラ板１３の形状を持たせると視野角を広げることができる。
また、スクリーン８０には、反射板８３の分散媒２３と接触する面８３ａと反対の面８３ｂに放熱フィン９０が設けられている。放熱フィン９０は、板状部材９０ａを複数有しており、透過板８２の画像表示領域Ａに対応した位置に外部（画像光が入射する側とは逆側）に露出している。また、放熱フィン９０の材質としては伝導率が良好な金属素材を用いることが好ましい。例えば、アルミニウムやアルミニウム合金、銅合金あるいはステンレス鋼等の素材により形成されていても良い。
【００６４】
また、スクリーン８０には、第１実施形態と同様の流路８５と貫通孔８６ａが形成された整流部８６が設けられている。さらに、スクリーン８０の反射板８３の上端部８３ｃ側には、流路８５と連通し収容空間Ｋ内に分散媒２３を流入させる流入管８７が設けられており、下端部８３ｄ側には収容空間Ｋ内の分散媒２３を排出させる排出管８８が設けられている。
また、投射エンジン７１は、図２に示す、レーザ光源（光学部品）３１Ｒ，３１Ｇ，３１Ｂ、液晶ライトバルブ（光学部品）３４Ｒ，３４Ｇ，３４Ｂ、液晶ライトバルブ３４Ｒ，３４Ｇ，３４Ｂに用いられる偏光板（光学部品）、電源（図示略、光学部品）より発熱した熱を分散媒２３が受熱するような構成になっている。
【００６５】
図１１に示すように、投射エンジン７１の流出部５５Ａと、スクリーン８０の流入管８７とはチューブ（連通部）７２により連通されている。また、スクリーン８０の排出管８８と、投射エンジン７１の流入部６１Ａとはチューブ（連通部）７３により連通されている。
これにより、投射エンジン７１の受熱した分散媒２３は、投射エンジン７１からチューブ７２を介して流出され、スクリーン８０の流入管８７より収容空間Ｋに流入可能となっている。そして、スクリーン８０において放熱された分散媒２３は、スクリーン８０の排出管８８からチューブ７３を介して流出され、投射エンジン７１に流入可能となっている。
【００６６】
本実施形態に係るプロジェクションシステム７０では、スクリーン８０で冷却媒体２３ａが放熱されるため、放熱面積を飛躍的に大きく取ることができる。すなわち、通常のプロジェクションシステムでは、投射エンジン７１の筐体に放熱形状を持たせたり、専用のヒートシンクを設置したりしている。これにより、投射エンジン７１の大きさの制約から面積が大きく取れないので、冷却効果が小さい。しかしながら、本実施形態のプロジェクションシステム７０では、冷却効果が大きくなり、大きなファンによる風量も必要でなくなり、静穏化を図ることも可能となる。
また、透過型のスクリーンでは画像表示領域Ａ外にしか放熱フィンを設けることができない。しかしながら、本実施形態の反射型のスクリーン８０では画像表示領域Ａを覆うように放熱フィン９０が設けられているため、温められた冷却媒体２３ａを圧倒的に大きな放熱面積により放熱することが可能となる。
このように、スクリーン８０側に放熱形状を持たせることにより、さらに放熱面積を大きくすることができるだけでなく、観察者から離れた位置に冷却ファンを設けるか、または、冷却ファンを用いなくても冷却媒体２３ａを十分に冷却することができる。したがって、プロジェクションシステムの最大の欠点である観察者の近くに騒音源があるといった問題を解消することが可能となる。
【００６７】
仮に、投射エンジン７１がファンを備えるとしても、本実施形態のプロジェクションシステム７０では、ファンを備えなくても放熱効果が十分良いので、風量の小さな音の静かなファンでも冷却媒体２３ａの十分な冷却効果を得ることが可能となる。
また、例えば、部屋の中でのスクリーン８０及び投射エンジン７１の位置が固定されている場合、壁や床等の内部（観察者が見えない位置）にチューブ７２，７３を配設させても良い。さらには、チューブの先端部分を例えば壁から露出させ、チューブの先端と接続可能なコネクタ部を有する投射エンジン７１であっても良い。これにより、スクリーン８０に投射エンジン７１より映像を投射するときのみ、チューブの先端部分と投射エンジンのコネクタ部とを接続すれば良いので、常時セットしておかなくても良い。
また、分散媒２３が、レーザ光源３１Ｒ，３１Ｇ，３１Ｂ、液晶ライトバルブ３４Ｒ，３４Ｇ，３４Ｂ、偏光板、電源より発生した熱を受熱する構成にしたが、発熱量が大きい部材のみ冷却する構成であっても良い。
さらに、本実施形態では、第１実施形態と同様の整流部４０を有するスクリーン８０としたが、第１実施形態の変形例と同様のスポンジフォーム６８，６９を有するスクリーンであっても良い。
【００６８】
なお、本発明の技術範囲は上記実施形態に限定されるものではなく、本発明の趣旨を逸脱しない範囲において種々の変更を加えることが可能である。
また、上記実施形態で例示した散乱板の具体的な構成については、上記実施形態に限らず、適宜変更が可能である。また、リアプロジェクタ全体についても、光変調手段として液晶ライトバルブを用いたものの他、ＤＭＤ（Digital Micromirror Device）素子等の反射型光変調素子を用いたものに本発明を採用することも可能である。例えば上記実施形態のような３板方式のプロジェクタのみならず、単板方式（時分割方式）のプロジェクタに本発明を適用することも可能である。
【００６９】
また、フレネル板、拡散板、レンチキュラ板の配置の順番は上記の配置に限らない。また、スクリーンはフレネル板、拡散板、レンチキュラ板の３層からなる必要はなく、フレネル板、レンチキュラ板のいずれかの板の中に拡散板が含まれる２層構造であっても良い。すなわち、フレネル板、レンチキュラ板のいずれかの板の中に冷媒及び粒子を設け、流体圧送部により流動させる構成であっても良い。
また、冷却媒体，粒子の材料及び粒子の大きさや重さ等の条件により、粒子が沈むことを防いでいるが、より粒子の沈殿を防ぐために、第１基板と第２基板とに挟まれた領域を複数の領域に区画しても良い。この構成では、冷媒中の粒子が所定の領域内を移動することになるため、粒子が拡散板の下端側に沈殿するのを防ぎ、冷媒内に均一に粒子を分散させることが可能となる。
これを実現するための具体的な手段として、例えば、複数のマイクロカプセルを用いて、マイクロカプセル内に複数の粒子を設けた構成であっても良い。
【００７０】
また、フレネル板を用いて説明したが、これに限らず、入射した光を屈折させる屈折作用を有するものであれば良く、例えば、ホログラムシート等であっても良い。
さらに、蒲鉾状のマイクロレンズ素子が形成されたレンチキュラ板を用いたが、これに限らず、例えば、レンチキュラ板を平面視したときの形状が略円形または略楕円形のマイクロレンズ素子が形成された光学素子であっても良い。また、光学部材は、光透過性を有する板状の部材であれば良く、例えば、ガラス等であっても良い。
【００７１】
また、光源として干渉性の高いレーザ光源を用いたが、可干渉性を有する光源であれば効果的であり、光源としては、例えば、高圧水銀ランプ，ＬＥＤ等であっても良い。
また、冷媒として液体を用いたが気体を用いて粒子を収容空間内に満遍なく分散させても良い。このように気体を用いることで、液体では気泡が混入するおそれがあったが、冷却媒体が気体であれば、気泡の混入のおそれはない。したがって、気泡による画像の劣化等がないため、鮮明な画像を映し出すことが可能となる。
また、１つの流体圧送部により、投射光学系側の冷媒の流動と、スクリーン内の冷媒の流動を行ったが、流体圧送部を個別に設けても良い。この構成の場合、プロジェクタの電源と同期させてスクリーン１０側の流動手段を駆動させれば良い。
また、第１実施形態のリアプロジェクタにも放熱フィンを設けても良い。その場合には、放熱フィンは画像形成領域外に放熱フィンを配置する。また、プロジェクションシステム７０の反射型スクリーンの画像表示領域外にも放熱フィンを設けても良い。
また、色光合成手段として、クロスダイクロイックプリズムを用いたが、これに限るものではない。色光合成手段としては、ダイクロイックミラーをクロス配置とし色光を合成するもの、ダイクロミラーを平行に配置し色光を合成するものを用いることができる。
【図面の簡単な説明】
【００７２】
【図１】本発明の第１実施形態に係るプロジェクタの概略構成図である。
【図２】図１のプロジェクタのスクリーンの概略構成を示す斜視図である。
【図３】図１のプロジェクタのスクリーンを示す要部断面図である。
【図４】図１のプロジェクタのスクリーンの光拡散層を示す要部断面斜視図である。
【図５】図１のプロジェクタのスクリーンの光拡散層を示す断面図である。
【図６】図１のプロジェクタの投射光学系の概略構成図である。
【図７】図１のプロジェクタの液冷ユニットを示す斜視図である。
【図８】図１のプロジェクタの液冷ユニットの光変調手段の冷却を示す平面図及び要部断面図である。
【図９】図１のプロジェクタの液冷ユニットとスクリーンとの配管を示す模式図である。
【図１０】本発明の第１実施形態に係るプロジェクタの光拡散層の変形例を示す断面図である。
【図１１】本発明の第２実施形態に係るプロジェクションシステムの概略構成図である。
【図１２】図１のプロジェクタのスクリーンの光拡散層を示す断面図である。
【図１３】シンチレーションの原理を示す図である。
【符号の説明】
【００７３】
Ａ…画像表示領域（画像形成領域）、Ｋ…収容空間、１…リアプロジェクタ（プロジェクタ）、１０，８０…スクリーン、１２，６５，８１…拡散板（光拡散層）、２３ａ…冷却媒体、２６，８５…流路、３１Ｒ，３１Ｇ，３１Ｂ…光源、３４Ｒ，３４Ｇ，３４Ｂ…液晶ライトバルブ（光変調手段）、３７…投射レンズ（投射手段）、４０，８６…整流部、５２…流体圧送部、６８，６９…スポンジフォーム（多孔性部材）、７０…プロジェクションシステム、７１…投射エンジン、７２，７３…チューブ（連通部）、９０…放熱フィン（放熱部材）
【図１】
2008203608.tif 000003
【図２】
2008203608.tif 000004
【図３】
2008203608.tif 000005
【図４】
2008203608.tif 000006
【図５】
2008203608.tif 000007
【図６】
2008203608.tif 000008
【図７】
2008203608.tif 000009
【図８】
2008203608.tif 000010
【図９】
2008203608.tif 000011
【図１０】
2008203608.tif 000012
【図１１】
2008203608.tif 000013
【図１２】
2008203608.tif 000014
【図１３】
2008203608.tif 000015